(57)【要約】【課題】利便性を向上して店頭試供品等の試香を容易にできる香り放出具を提供する。【解決手段】下端に所定の隙間Ｄを有して上端で二つ折りされる前面部１１及び背面部１２を有するとともに窓部１３を開口する外装部１０と、積層フィルムにより袋状に形成して前面部１１及び背面部１２の内面に固着されるとともに窓部１３から露出した領域に封止された吐出口２３包装袋２０と、包装袋２０内に収納される香り物質３２とを備え、吐出口２３を開封して前面部１１及び背面部１２の下部を互いに接近させることによって、吐出口２３を介して香り物質３２の香りが放出される。【選択図】図２
2015037956.tif 000002
【特許請求の範囲】
【請求項１】
下端に所定の隙間を有して上端で二つ折りされる前面部及び背面部を有するとともに窓部を開口する外装部と、積層フィルムにより袋状に形成して前記前面部及び前記背面部の内面に固着されるとともに前記窓部から露出した領域に封止された吐出口を設けた包装袋と、前記包装袋内に収納される香り物質とを備え、前記吐出口を開封して前記前面部及び前記背面部の下部を互いに接近させることによって、前記吐出口を介して前記香り物質の香りが放出されることを特徴とする香り放出具。
【請求項２】
前記窓部が前記外装部の上端に設けられるとともに、前記包装袋が前記吐出口を有して前記窓部から突出する突出部を有し、前記突出部を前記外装部の上端に沿って切断することにより前記吐出口が開封されることを特徴とする請求項１に記載の香り放出具。
【請求項３】
前記包装袋に貼着して前記吐出口を封止する封止シールを備え、前記窓部を介して前記封止シールを引き剥がすことにより前記吐出口が開封されることを特徴とする請求項１に記載の香り放出具。
【請求項４】
前記外装部を板紙により形成したことを特徴とする請求項１〜請求項３のいずれかに記載の香り放出具。
【請求項５】
前記香り物質が粒状または粉体状に形成されることを特徴とする請求項１〜請求項４のいずれかに記載の香り放出具。
【発明の詳細な説明】
【技術分野】
【０００１】
本発明は、店頭試供品等に用いられる香りを放出する香り放出具に関する。
【背景技術】
【０００２】
芳香剤や香水等の商品の香りをユーザが購入前に試香できる店頭試供品は商品と異なる香り放出具により提供される場合がある。特許文献１には従来の香り放出具が開示されている。この香り放出具（試供品容器）は上面に開口する開口部を蓋により開閉されるガラス瓶を有し、ガラス瓶内には綿状体に含浸した香水等の香り物質が収納されている。ユーザは香り放出具の蓋を開き、開口部から放出される香り物質の香りを試香して商品を選択することができる。
【先行技術文献】
【特許文献】
【０００３】
【特許文献１】特開２００５−２１５７２号公報（第５頁、第６図）
【発明の概要】
【発明が解決しようとする課題】
【０００４】
上記従来の香り放出具によると、揮発性の高い香り物質の場合は蓋部を開いただけで開口部から放出される香りを試香できる。しかしながら、揮発性の低い香り物質がガラス瓶内に収納された場合には、ユーザがガラス瓶を振って香りを放出させる必要がある。このため、香り放出具の利便性が悪く、ユーザが店頭試供品等の試香を容易にできない問題があった。
【０００５】
本発明は、利便性を向上して試香を容易にできる香り放出具を提供することを目的とする。
【課題を解決するための手段】
【０００６】
上記目的を達成するために本発明は、下端に所定の隙間を有して上端で二つ折りされる前面部及び背面部を有するとともに窓部を開口する外装部と、積層フィルムにより袋状に形成して前記前面部及び前記背面部の内面に固着されるとともに前記窓部から露出した領域に封止された吐出口を設けた包装袋と、前記包装袋内に収納される香り物質とを備え、前記吐出口を開封して前記前面部及び前記背面部の下部を互いに接近させることによって、前記吐出口を介して前記香り物質の香りが放出されることを特徴としている。
【０００７】
この構成によると、上端で二つ折りされる外装部上に開口した窓部を介して包装袋の吐出口が開封される。ユーザが外装部を摘持して前面部及び背面部の下部を互いに接近させると、前面部及び背面部の内面に固着した包装袋が押圧される。これにより、包装袋に収納される香り物質の香りが吐出口から放出される。外装部を摘持する力が弱められると外装部の弾性によって前面部及び背面部の下部が互いに離れ、吐出口から包装袋内に外気が吸引される。
【０００８】
また本発明は、上記構成の香り放出具において、前記窓部が前記外装部の上端に設けられるとともに、前記包装袋が前記吐出口を有して前記窓部から突出する突出部を有し、前記突出部を前記外装部の上端に沿って切断することにより前記吐出口が開封されることを特徴としている。
【０００９】
また本発明は、上記構成の香り放出具において、前記包装袋に貼着して前記吐出口を封止する封止シールを備え、前記窓部を介して前記封止シールを引き剥がすことにより前記吐出口が開封されることを特徴としている。
【００１０】
また本発明は、上記構成の香り放出具において、前記外装部を板紙により形成したことを特徴としている。
【００１１】
また本発明は、上記構成の香り放出具において、前記香り物質が粒状または粉体状に形成されることを特徴としている。
【発明の効果】
【００１２】
本発明によると、香り物質を収納する積層フィルムから成る包装袋を二つ折りされる外装部の前面部及び背面部の内面に固着したので、ユーザが外装部を摘持して香り物質の香りを吐出口から放出させることができる。従って、香り放出具の利便性を向上し、店頭試供品等の試香を容易に行うことができる。
【図面の簡単な説明】
【００１３】
【図１】本発明の第１実施形態の香り放出具を示す斜視図
【図２】本発明の第１実施形態の香り放出具を示す側面断面図
【図３】本発明の第１実施形態の香り放出具の包装袋を示す正面図
【図４】本発明の第１実施形態の香り放出具の外装部を示す展開図
【図５】本発明の第２実施形態の香り放出具を示す斜視図
【図６】本発明の第２実施形態の香り放出具の包装袋を示す正面図
【図７】本発明の第２実施形態の香り放出具の外装部を示す展開図
【発明を実施するための形態】
【００１４】
＜第１実施形態＞
以下に図面を参照して本発明の実施形態を説明する。図１、図２は第１実施形態の香り放出具を示す斜視図及び側面断面図である。香り放出具１は上端で二つ折りされる外装部１０と、外装部１０の内側に配される包装袋２０とを備えている。包装袋２０内には香り物質３２が収納される。
【００１５】
外装部１０はカード紙等の板紙を折曲して形成されており、上端に相当する位置にはカード紙等の板紙に予め押罫加工により形成した折罫１６ａ（図４参照）が設けられる。また、外装部１０は折罫１６ａが形成された上端で折曲自在とした前面部１１と背面部１２とを備えている。前面部１１の下端と背面部１２の下端との間には所定量の隙間Ｄが形成される。外装部１０の上端の中央部には前面部１１と背面部１２とに跨がって開口する窓部１３が設けられる。
【００１６】
また、背面部１２には後方に突出して下方に屈曲した掛止部１４が板紙の折曲によって形成される。掛止部１４によって香り放出具１が店頭陳列台の前壁等に掛止して陳列される。前面部１１及び背面部１２の下端を店頭陳列台等に接地して香り放出具１を陳列してもよい。
【００１７】
図３は包装袋２０の正面図を示している。包装袋２０は対向する積層フィルムの周縁を熱接着部２１により熱接着した袋状に形成される。包装袋２０は両側端及び下端を熱接着して内部に香り物質３２（図２参照）を収納した後、上端を熱接着される。
【００１８】
包装袋２０に収納される香り物質３２（図２参照）は芳香剤、化粧品、柔軟剤、洗剤等の試香用の香りサンプルとして粒状や粉体状に形成され、香りを発散する。液体の香り物質３２を繊維等に含浸して包装袋２０に収納してもよい。香り物質３２を粒状や粉体状に形成すると、香り成分の発散が抑制されるため試供品等の長寿命化を図ることができるのでより望ましい。
【００１９】
包装袋２０を形成する積層フィルムは外面側から順に基材層、バリア層、熱接着層が積層される。基材層は例えば、厚さ１２μｍのポリエチレンテレフタレート（ＰＥＴ）により形成される。バリア層はアルミニウム箔等により形成され、外気侵入及び香り物質３２の漏洩を防止する。熱接着層は例えば、厚さ１００μｍのポリエチレン（ＰＥ）等により形成され、接着剤（不図示）によりバリア層に接着される。対向する熱接着層を熱接着して熱接着部２１が形成される。
【００２０】
包装袋２０の上端の中央部には上方に突出する突出部２２が設けられる。包装袋２０は図２に示すように、突出部２２を外装部１０の窓部１３に挿通し、接着剤３１により外装部１０の前面部１１及び背面部１２の内面に固着される。
【００２１】
突出部２２の窓部１３（図２参照）から露出した領域には包装袋２０の内部に連通して熱接着部２１により封止される複数の吐出口２３が設けられる。突出部２２の両側端には切欠き２４が設けられる。切欠き２４を始点とする切断線２４ａで外装部１０の上端に沿って突出部２２を切断することにより、吐出口２３が開封される。
【００２２】
図４は外装部１０の展開図を示している。外装部１０は平面視矩形の板紙を図中、一点鎖線で示す折罫１６ａで山折りし、二点鎖線で示す折罫１６ｂで谷折りして形成される。尚、外装部１０を樹脂シートにより形成してもよいが、板紙を用いると安価に外装部１０を実現できるためより望ましい。
【００２３】
前面部１１と背面部１２との間の折罫１６ａが形成された外装部１０の上端には窓部１３が打ち抜きにより形成される。また、掛止部１４（図２参照）を形成するために、板紙が背面部１２に連続して多重に折曲され、両面粘着テープ１８により接着される。
【００２４】
また、掛止部１４にはコ字状の切断線１７（図中、太線の一点鎖線で示す）で囲まれた内側に掛止孔１５ａが打ち抜きにより形成される。外装部１０を切断線１７で切断して上方に折り返し、上方に延びる掛止部１５（図２参照）を形成してもよい。これにより、掛止部１５に開口した掛止孔１５ａに店頭陳列台のポールを挿通することによって香り放出具１を掛止して陳列することができる。
【００２５】
上記構成の香り放出具１において、外装部１０の前面部１１と背面部１２との間の折罫１６ａに沿って突出部２２を切断線２４ａで切断して吐出口２３が開封される。吐出口２３を開封した香り放出具１は店頭陳列台に設置される。
【００２６】
ユーザが香り放出具１を取り出して前面部１１及び背面部１２を摘持すると、前面部１１及び背面部１２が矢印Ａ１（図２参照）に示すように回動する。これにより、前面部１１及び背面部１２の下部がそれぞれ一点鎖線１１’、１２’で示すように互いに接近する。
【００２７】
包装袋２０は前面部１１及び背面部１２の接近によって押圧される。そして、矢印Ｂに示すように、香り物質３２の香りが包装袋２０内の空気とともに吐出口２３から放出される。この時、揮発性の低い香り物質３２であっても香り物質３２の香りを容易に放出することができる。従って、芳香剤等の商品の香りをユーザが購入前に容易に試香して商品を選択することができる。
【００２８】
外装部１０を摘持する力が弱められると、板紙の弾性によって前面部１１及び背面部１２が矢印Ａ２（図２参照）に示すように回動する。これにより、前面部１１及び背面部１２の下部が互いに離れて元の位置に戻る。この時、吐出口２３から包装袋２０内に空気が吸引され、次に前面部１１及び背面部１２を摘持した際に香りとともに放出される。
【００２９】
本実施形態によると、香り物質３２を収納する積層フィルムから成る包装袋２０を二つ折りされる外装部１０の前面部１１及び背面部１２の内面に固着したので、ユーザが外装部１０を摘持して香り物質３２の香りを吐出口２３から放出させることができる。従って、香り放出具１の利便性を向上し、店頭試供品の試香を容易に行うことができる。
【００３０】
この時、香り放出具１が積層フィルムから成る包装袋２０に香り物質３２を収納するため、香り物質３２の香り成分の漏洩を抑制して試供品の長寿命化を図ることができる。また、香り放出具１を容易に折り畳んで廃棄することができる。
【００３１】
また、窓部１３が前面部１１と背面部１２との間の折罫１６ａが形成された外装部１０の上端に設けられ、包装袋２０の吐出口２３が窓部１３から突出する突出部２２を外装部１０の上端に沿って切断して開封される。これにより、窓部１３から露出する吐出口２３を開封して香りを放出する香り放出具１を容易に実現することができる。
【００３２】
また、外装部１０を板紙により形成したので、前面部１１と背面部１２とが弾性によって開く外装部１０を安価で簡単に実現することができる。
【００３３】
また、香り物質３２を粒状または粉体状に形成すると、香り成分の発散が抑制されるため試供品等の長寿命化を図ることができる。
【００３４】
＜第２実施形態＞
次に、図５は第２実施形態の香り放出具１の斜視図を示している。説明の便宜上、前述の図１〜図４に示す第１実施形態と同様の部分には同一の符号を付している。本実施形態は外装部１０の窓部１３及び包装袋２０の吐出口２３の構成が第１実施形態と異なっている。その他の部分は第１実施形態と同様である。
【００３５】
外装部１０はカード紙等の板紙を折曲して形成されており、上端に相当する位置には板紙に予め押罫加工により形成した折罫１６ａ（図７参照）が設けられる。また、外装部１０は折罫１６ａが形成された上端で折曲自在とした前面部１１と背面部１２とを備えており、前面部１１の上部に窓部１３が開口する。包装袋２０には窓部１３から露出した領域に複数の小孔から成る吐出口２３が設けられる。
【００３６】
図６は包装袋２０の正面図を示している。包装袋２０は対向する積層フィルムの周縁を熱接着部２１により熱接着して袋状に形成され、内部に香り物質３２（図２参照）が収納される。包装袋２０の前面に設けられた複数の吐出口２３は包装袋２０に貼着される封止シール２５により封止される。封止シール２５の一端に設けた摘持部２５ａを摘持して封止シール２５を引き剥がすことにより、吐出口２３が開封される。
【００３７】
図７は外装部１０の展開図を示している。外装部１０は平面視矩形の板紙を図中、一点鎖線で示す折罫１６ａで山折りし、二点鎖線で示す折罫１６ｂで谷折りして形成される。前面部１１には窓部１３が打ち抜きにより形成される。尚、外装部１０を樹脂シートにより形成してもよい。
【００３８】
上記構成の香り放出具１において、窓部１３を介して封止シール２５が引き剥がされ、吐出口２３が開封される。吐出口２３を開封した香り放出具１は店頭陳列台に設置される。そして、上記と同様に、前面部１１及び背面部１２が摘持されると、香り物質３２の香りが包装袋２０内の空気とともに吐出口２３から放出される。また、外装部１０を摘持する力が弱められると、板紙の弾性によって前面部１１及び背面部１２の下部が互いに離れて元の位置に戻る。この時、吐出口２３から包装袋２０内に空気が吸引される。
【００３９】
本実施形態によると、第１実施形態と同様の効果を得ることができる。また、包装袋２０に貼着した封止シール２５により吐出口２３を封止し、窓部１３を介して封止シール２５を引き剥がすことにより吐出口２３が開封される。これにより、窓部１３から露出する吐出口２３を開封して香りを放出する香り放出具１を容易に実現することができる。
【００４０】
尚、第１、第２実施形態において、外装部１０が折曲自在な前面部１１と背面部１２の折り曲げ動作により包装袋２０の拡張及び収縮が行われ、上端の折罫１６ａによって折り曲げ動作を容易にすることができる。この時、外装部１０を形成する板紙等の材料、剛性、厚み等の条件によって前面部１１と背面部１２が包装袋２０を拡張及び収縮できる程度に折曲自在となる場合は、外装部１０の上端の折罫１６ａを省いてもよい。
【００４１】
また、外装部１０の前面部１１及び背面部１２の内面に包装袋２０が接着剤３１により固着されるが、その他の両面粘着テープ等の接合手段によって固着してもよい。
【００４２】
また、香り放出具１が香りを有する商品の店頭で陳列される店頭試供品に用いられるが、掛止部１４、１５（図２参照）を省いてユーザに配布される配布試供品に用いられてもよい。
【産業上の利用可能性】
【００４３】
本発明によると、芳香剤、化粧品、柔軟剤、洗剤等の店頭試供品や配布試供品に利用することができる。
【符号の説明】
【００４４】
１    香り放出具
１０    外装部
１１    前面部
１２    背面部
１３    窓部
１４、１５  掛止部
１５ａ  掛止孔
１６ａ、１６ｂ  折罫
１７    切断線
１８    両面粘着テープ
２０    包装袋
２１    熱接着部
２２    突出部
２３    吐出口
２４    切欠き
２４ａ  切断線
２５    封止シール
３１    接着剤
３２    香り物質
【図１】
2015037956.tif 000003
【図２】
2015037956.tif 000004
【図３】
2015037956.tif 000005
【図４】
2015037956.tif 000006
【図５】
2015037956.tif 000007
【図６】
2015037956.tif 000008
【図７】
2015037956.tif 000009